(57)【要約】【課題】  ドアトリムに形成したポケットに取り付けられる照明装置であって、ポケットの閉状態ではドアトリムの間接照明として機能し、ポケットの開状態ではポケット内部の照射用ランプとして機能する車室内用照明装置を提供すること。【解決手段】  ドアトリム１に形成したポケット用凹部２の前面を下端部がドアトリム１に枢着されて開閉自在なポケット前板３で覆うとともに、ポケット用凹部２の上部開口部を基部がドアトリム１とわずかな隙間Ｓを介して枢着されて跳ね上げ自在なポケット蓋体４で覆い、このポケット蓋体４の基部にポケットの閉状態ではドアトリム１側に向け照射し、ポケットの開状態ではポケット用凹部２の内部に向け照射する照明部材５を配設したものとする。【選択図】      図１
2005238953.tif 000002
【特許請求の範囲】
【請求項１】
ドアトリムに形成したポケット用凹部の上部開口部を基部がドアトリムとわずかな隙間を介して枢着されて跳ね上げ自在なポケット蓋体で覆い、このポケット蓋体の基部に閉蓋状態ではドアトリム側に向け照射し、開蓋状態ではポケット用凹部の内部に向け照射する照明部材を配設したことを特徴とする車室内用照明装置。
【請求項２】
ドアトリムに形成したポケット用凹部の前面を下端部がドアトリムに枢着されて開閉自在なポケット前板で覆うとともに、このポケット前板とポケット蓋体とは開閉動作を連動するようにした請求項１に記載の車室内用照明装置。
【請求項３】
ポケット蓋体は、ポケットの閉状態においてアームレストを兼ねるものである請求項１または２に記載の車室内用照明装置。
【発明の詳細な説明】
【技術分野】
【０００１】
本発明は、ドアトリムに形成したポケットに取り付けられる照明装置であって、ポケットの閉状態ではドアトリムの間接照明として機能し、ポケットの開状態ではポケット内部の照射用ランプとして機能する車室内用照明装置に関するものである。
【背景技術】
【０００２】
従来から、自動車のドアトリムには小物入れ用のポケットが形成されているのが普通であり、ドアトリムに上部が開口した凹状のポケット構造としたものが一般的である。また最近では、ポケットを単なる凹状構造とするのでなく、開口部を開閉自在な蓋体で覆って高級感のある内装仕上げを施したものも増えつつある。しかしながら、凹状のポケット内部は暗いため特に夜間などは収納物を探すのが難しいという問題点があり、出願人は蓋体の開閉操作に応じてポケット内部を照明する機能を有するポケット構造を開発し、先に特許文献１として出願した。一方、内装の高級化に伴い、例えば特許文献２に示されるように、車室内を照明してインテリア効果を高めるための照明装置が提案されている。
【０００３】
しかしながら、ポケット用照明と車室内用照明とは別々の照明装置であるため、両者を取り付ける場合はそれぞれの装置が必要で、各機器の取り付けスペースを確保しなければならず車室内の見栄えを悪化させるという問題点や、居住空間が狭くなって居住性を悪化させるという問題点があり、更には生産コストも高くなるという問題点もあった。
【特許文献１】特開２０００−３４４０１１号公報
【特許文献２】特開２０００−１４２２１８号公報
【発明の開示】
【発明が解決しようとする課題】
【０００４】
本発明は上記のような従来の問題点を解決して、一つの照明装置装置でポケット用照明と車室内用照明を兼ね備えていて、取り付けスペースが小さく車室内の見栄えと居住性を大幅に向上させることができ、またスイッチ操作も簡素化することができ、更には生産コストも低減化することができる車室内用照明装置を提供することを目的として完成されたものである。
【課題を解決するための手段】
【０００５】
上記課題を解決するためになされた本発明の車室内用照明装置は、ドアトリムに形成したポケット用凹部の上部開口部を基部がドアトリムとわずかな隙間を介して枢着されて跳ね上げ自在なポケット蓋体で覆い、このポケット蓋体の基部に閉蓋状態ではドアトリム側に向け照射し、開蓋状態ではポケット用凹部の内部に向け照射する照明部材を配設したことを特徴とするものである。
【発明の効果】
【０００６】
本発明では、ポケット蓋体の基部に閉蓋状態ではドアトリム側に向け照射し、開蓋状態ではポケット用凹部の内部に向け照射する照明部材を配設したので、一つの照明装置でポケット用照明と車室内用照明を兼ね備えており、従来のように別々の装置を取り付ける必要がなくなる。また、取り付けスペースが小さく車室内の見栄えと居住性も大幅に向上する。しかも、車室内の照明はドアトリムからの反射光を利用した間接照明であるので、目に優しく高級感も大幅に向上する。
【発明を実施するための最良の形態】
【０００７】
以下に、図面を参照しつつ本発明の好ましい形態を示す。
図面は、本発明の照明装置を自動車の運転席側ドアトリムに適用した場合を示すものであって、図１はポケットの開蓋状態を示す断面図、図２はポケットの閉蓋状態を示す断面図である。また、図３はその他の例におけるポケットの開蓋状態を示す断面図、図４は図３のポケットの閉蓋状態を示す断面図、図５は図３の斜視図である。
【０００８】
図において、１はドアトリム、２はドアトリム１に形成したポケット用凹部である。図１〜図２においては、ポケット用凹部２はドアトリムと一体となっているが、図３〜図５に示されるように、ポケット用凹部２の前面が、下端部がドアトリム１に枢着されて開閉自在なポケット前板３で覆われたものとすることもできる。そして、ポケット用凹部２の上部開口部は、基部がドアトリム１とわずかな隙間Ｓを介して枢着され跳ね上げ自在なポケット蓋体４で覆われたものとなっている。更に、このポケット蓋体４の基部には、ポケットの閉状態ではドアトリム１側に向けて照射し、一方、ポケットの開状態ではポケット用凹部２の内部に向けて照射する照明部材５が配設されたものとなっている。なお、図中３ａはポケット前板３の枢着部、４ａはポケット蓋体４の枢着部である。
【０００９】
照明部材５の光源としては、ＬＥＤ、白熱灯、ハロゲンランプ、半導体レーザ等を用いることができる。また、照明部材５はポケット蓋体４の基部に１個のみ配設することもできるが、ポケット蓋体４の長手方向に沿って複数個配設するのが好ましい。更には、長管状やファイバー状の光源を配設することもできる。また、車室内のインテリア効果を高める目的で有色光源を用いたり、着色フィルターを被せたりすることもできる。
なお、照明部材５のオン・オフスイッチは特別に設ける必要はなく、ライトのスイッチオン時は常時オンの状態となるように調整されている。
【００１０】
また、図３〜図５に示すものでは、ポケット蓋体４を上方側へ跳ね上げた場合、これに連動してポケット前板３の上部が開口部を大きくするように室内側へ回動する構造とされている。このようなポケット蓋体４とポケット前板３との連動機構は、一般的なリンク機構や歯車機構（いずれも図示せず）を利用して構成することができる。
【００１１】
前記ポケット蓋体４は、基部がドアトリム１とわずかな隙間Ｓを介して枢着された構造となっている。これは後述するように、ポケットの閉状態において照明部材５がドアトリム１側に向けて照射することにより照射光が車室内を直接照明するのでなく、先ずドアトリム１に当たり、その反射光が車室内を間接的に照明するようにするためである。これにより、車室内の照明はドアトリム１からの反射光を利用した間接照明となって、目に優しく高級感も大幅に向上させることとなる。
【００１２】
また、ポケット蓋体４は、図５に示されるように、ポケットの閉状態においてアームレストを兼ねるものとすることができる。この場合は、高級感がより高められるとともに、部品点数も少なくなって生産コストの低減化が図れる事となり、好ましい。
【００１３】
このように構成したものでは、図１および図３に示されるように、ポケットの開蓋状態においては、ポケット蓋体４は枢着部４ａを中心にして上方側へ跳ね上げた状態となっており、基部に配設された照明部材５がポケット用凹部２の内部に向け照射するので、ポケット内部の荷物の取り扱いが容易に行えることとなる。
一方、図２および図４に示されるように、ポケットの閉蓋状態においては、ポケット蓋体４は水平状態となっており、基部に配設された照明部材５はポケット蓋体４とともに回転してドアトリム１側に向けて照射することとなる。この照射光は車室内を直接照明するのでなく、先ずドアトリム１に当たり、その反射光が車室内を間接的に照明するため、車室内の照明はドアトリム１からの反射光を利用した間接照明となり、目に優しく高級感も大幅に向上させることとなる。
【００１４】
以上の説明からも明らかなように、本発明の車室内用照明装置は、ドアトリム１に形成したポケット用凹部２の上部開口部を基部がドアトリム１とわずかな隙間Ｓを介して枢着されて跳ね上げ自在なポケット蓋体４で覆い、このポケット蓋体４の基部に閉蓋状態ではドアトリム１側に向け照射し、開蓋状態ではポケット用凹部２の内部に向け照射する照明部材５を配設した構造であり、一つの照明装置でポケット用照明と車室内用照明を兼ね備えているので、取り付けスペースが小さく車室内の見栄えと居住性を大幅に向上させることができるとともに、スイッチ操作も簡素化することができることとなる。また、車室内の照明はドアトリム１からの反射光を利用した間接照明であるので、目に優しく、かつ高級感を演出することができることとなる。更には、部品点数も少ないため、生産コストも低減化することができるという利点もある。
【図面の簡単な説明】
【００１５】
【図１】本発明の実施の形態を示すポケットが開蓋状態の断面図である。
【図２】本発明の実施の形態を示すポケットが閉蓋状態の断面図である。
【図３】その他の実施の形態を示すポケットが開蓋状態の断面図である。
【図４】その他の実施の形態を示すポケットが閉蓋状態の断面図である。
【図５】図３の斜視図である。
【符号の説明】
【００１６】
１  ドアトリム
２  ポケット用凹部
３  ポケット前板
４  ポケット蓋体
５  照明部材
Ｓ  隙間
【図１】
2005238953.tif 000003
【図２】
2005238953.tif 000004
【図３】
2005238953.tif 000005
【図４】
2005238953.tif 000006
【図５】
2005238953.tif 000007